(57)【要約】【課題】小型、かつ正確なスイッチ検出が可能なスイッチを具備する電子機器を提供する。【解決手段】複数の検出接点とＧＮＤであるコモン接点からなる固定接点と、接触／非接触の状態に進退可能な可動接点とよりなるスイッチ接点を具備し、該可動接点の接触により、固定接点内の接点が同時にすべて導通されたときに発生する信号を検出し、該信号に応じた動作をおこなう制御手段を有する。【選択図】  図３
2006202537.tif 000002
【特許請求の範囲】
【請求項１】
互いに非接触状態に配置された複数の検出接点、およびコモン接点から構成される固定接点と、
ユーザの操作により前記複数の検出接点と前記コモン接点の全てを同時に導通させる可動接点と、
前記固定接点と前記可動接点から構成さるスイッチ接点からのスイッチ信号に応じた動作を行う制御手段とを有する電子機器。
【請求項２】
前記スイッチ接点は複数配置されており、任意のスイッチ接点は、隣接するスイッチ接点のうち少なくとも１つのスイッチ接点と、検出接点を共有することを特徴とする請求項１に記載の電子機器。
【請求項３】
前記スイッチ接点は複数配置されており、前記複数の検出接点のうち少なくともひとつは、２以上のスイッチ接点に属することを特徴とする請求項１に記載の電子機器。
【請求項４】
前記コモン接点は、前記複数のスイッチ接点の全てに共有されることを特徴とする請求項２または請求項３に記載の電子機器。
【請求項５】
前記複数の検出接点は前記コモン接点を挟んで対向して配置されることを特徴とする請求項１に記載の電子機器。
【請求項６】
前記複数のスイッチ接点は、環状に配置されたことを特徴とする請求項２から請求項５のいずれか１つに記載の電子機器。
【請求項７】
前記検出接点の総数は３以上の自然数ｎであって、各々のスイッチ接点に属する検出接点は２以上であってｎより小さい自然数ｒであり、前記スイッチ接点を
ｎＣｒ
で表される数だけ配置し、前記制御手段は、各々のスイッチ接点からの独立したスイッチ信号に応じた動作を行うことを特徴とする請求項２から６のいずれか１つに記載の電子機器。
【請求項８】
配置を要する前記スイッチ接点の数をＴとし、各々のスイッチ接点に属する検出接点は２以上であって自然数ｎより小さい自然数ｒとするとき、
Ｔ≦ｎＣｒ
を満たす最小のｎを検出接点の数とし、前記制御手段は、各々のスイッチ接点からの独立したスイッチ信号に応じた動作を行うことを特徴とする請求項２から６のいずれか１つに記載の電子機器。
【請求項９】
前記複数の検出接点の複数とは所定の数であって、前記制御手段は、前記所定の数の検出接点の導通以外の数の導通による前記スイッチ信号によっては動作しないことを特徴とする請求項１から８のいずれか１つに記載の電子機器。
【発明の詳細な説明】
【技術分野】
【０００１】
本発明は、ユーザが検出接点とコモン接点を導通させることによってスイッチ信号を発生する電子機器に関する。
【背景技術】
【０００２】
従来用いられている一般的なタクトスイッチのスイッチ検出パターンを図９を用いて説明する。同図において、９１はコモン（ＧＮＤ）接点（ライン又はパターン）、９２は検出接点（ライン又はパターン）である。このように一つのコモン接点と一つの検出接点が対になり固定接点、すなわちスイッチ導通部を形成している。この固定接点に対して、スイッチ操作部材の可動接点が操作されることによりコモン接点と検出接点が電気的に接続され、導通状態となりスイッチ操作が検出される。固定接点の端面は金属やカーボンなど、電気的導通性のあるもが施されている（例えば、特許文献１参照）。
【０００３】
最近の一眼レフカメラやデジタルスチルカメラでは、このようなタクトスイッチを上下方向と左右方向の４方向に配列させて方向選択スイッチを構成し、ファインダー画面内の測距位置の選択や、モニター画面上の情報選択に用いている。
【０００４】
さらに、選択する情報が多くなってくると、上下方向と左右方向の４方向の選択のみでは不十分になってくるため、選択可能な方向を増やす必要性が生ずる。図１０は上述の方向選択スイッチを環状に配列し、方向選択スイッチとしたものを示している。外周に８個、中央に一個のスイッチが配列されている。外周のスイッチは中央のスイッチを中心とし、角度にして４５度刻みに配置され、それぞれの角度方向や位置を選択するためのスイッチとして設定されている。
【０００５】
このスイッチでは、回路上に１本のコモン接点と９本の検出接点が必要とされる。同図において、ｎｎ、ｎｅ、ｅｅ、ｓｅ、ｓｓ、ｓｗ、ｗｗ、ｎｗ、ｃｃは方向選択スイッチの検出位置を示しておりそれぞれ順番に、上（北）、右上（北東）、右（東）、右下(南東)、下（南）、左下（南西）、左（西）、左上（北西）、中央に配置されている。１０１〜１０８は方向選択スイッチの外周の検出位置に配置された検出接点（ライン又はパターン）である。１０９は中央に配置された検出接点である。１００は、それぞれの検出位置に配置されて互いに接続されいるコモン接点（ＧＮＤ信号）である。
【０００６】
図１１は、上述の図１０に示すスイッチ検出パターンを用いた方向選択装置の構造を示す断面図である。１１１は方向選択部材、１１２はプリント回路基板、１１３は台座である。プリント回路基板１１２は台座１１３上に固定され、更にその上にスイッチ操作部材１１１が配置されている。１１１ａ、１１１ｂ、１１１ｃはそれぞれ可動接点であり、押圧操作に対して互いに独立して上下動する。１１２ａ、１１２ｂ、１１２ｃは、プリント回路基板上に設けられた固定接点であり、それぞれ可動接点１１１ａ、１１１ｂ、１１１ｃと接触する。これら固定接点は、上述の図１０に示す導通パターンで形成されている。
【０００７】
このような構造のスイッチ検出装置は、小型で構造も簡単なことから多くの小型携帯電子機器で使用されている。しかし、選択する対象が増えてくるとスイッチの数と方向などが増え、スイッチ検出信号が増加してしまい、信号処理回路での処理が複雑になる。その対策として信号数を減らすための一般的な方法として、図１２に示すように、接点の数を１個おきに間引いて、間引いた箇所に隣接する両側の２箇所のスイッチの投入を検出して、該２箇所の中間位置、即ち接点を間引いた箇所に対するスイッチの投入をソフトウエア的に検出する方法が知られている。
【０００８】
図１２における番号と記号は、図１０と共通である。この図１２において、右上（北東）、右下(南東)、左下（南西）、左上（北西）、の４箇所には固定接点のパターンを配置していない。これら省略された部位の信号検出は、隣接する両側位置の信号の導通により判断することになる。例えば、右上（北東）を選択する場合は、上（北）と右（東）の両方の導通を検知した場合に押圧されたと判断することになる。
【０００９】
また、位置選択や方向選択の装置（マウス等の選択装置）に、操作により接点の抵抗値がアナログ的に変化するポインティングデバイスなどを用い、より細かく位置と方向を検出する技術も提案されている（例えば、特許文献２）。
【特許文献１】特開平０９−２１４０８４号公報（段落００１０、図１等）
【特許文献２】特開２００３−１６２９４６号公報（段落００２０、図４等）
【発明の開示】
【発明が解決しようとする課題】
【００１０】
しかしながら上述の検出方法では、正確な方向選択が出来ない場合が生じたり、誤操作を誘発したりする場合がある。例えば、中間位置や中間方向を直接選択したい場合には、２箇所のスイッチを同時に操作することが必要とされるが、実際は２箇所スイッチの同時操作は困難であるため、必ずどちらか一方のスイッチが先に操作され、次に他方のスイッチが操作されることになり、操作に時間差や順番が生ずることになる。従って、中間位置の操作に際して、意図した方向を一度で選択できない問題がある。
【００１１】
図１３に示すファインダー画面を参照してより具体的に説明する。ａ１からｇ１はそれぞれファインダー画面に対応する測距点の指標を示している。当初の測距点の設定位置をｂ２とし、隣接する測距点ｃ１に変更しようとする場合、測距点ｃ１は測距点ｂ２に対して右斜め上方に位置するので、上と右のスイッチの両方を操作する。
【００１２】
しかし、時間差なく同時に両方を操作することはできないため、上または右のスイッチのどちらかが先に検出される。上のスイッチが先に検出された場合、検出の順番は測距点ｂ１→測距点ｃ１の順番になる。また、右のスイッチが先に検出された場合、測距点ｂ２に対して右側には測距点ｃ１と測距点ｃ２の両方が存在するため、変更位置が確定できないという問題が生じてくる。従ってこのようなスイッチの構成では、斜め方向を選択する場合に問題が生じてしまうことになる。
【００１３】
また、操作により接点の抵抗値がアナログ的に変化するポインティングデバイスなどを用いた場合、高価で回路処理が複雑なＡＤ変換装置を搭載しなければならず、大きさ、コスト面から小型携帯電子機器に用いることは難しい問題がある。
【００１４】
そこで上記問題点に鑑み、本発明の目的とするところは、小型かつ正確であって、多数のスイッチ検出が可能な電子機器を提供することである。
【課題を解決するための手段】
【００１５】
本発明の１つの観点としての電子機器は、互いに非接触状態に配置された複数の検出接点、およびコモン接点から構成される固定接点と、ユーザの操作により複数の検出接点とコモン接点の全てを同時に導通させる可動接点と、固定接点と可動接点から構成さるスイッチ接点からのスイッチ信号に応じた動作を行う制御手段とを有することを特徴とする。
【発明の効果】
【００１６】
本発明によれば、高価で複雑な信号処理回路を使用しなくても、検出可能なスイッチ信号の数を増やすことができるとともに、小型且つ安価でありながら誤操作が少なく正確な信号検出ができ、このスイッチ信号のそれぞれに応じた電子機器の制御を行うことが可能となる。
【発明を実施するための最良の形態】
【００１７】
以下、本発明の実施の形態について図面を参照しながら説明する。
【実施例１】
【００１８】
図１は本発明の実施例１に係る電子機器の一例としてのカメラの概観図である。
【００１９】
１１はカメラ本体、１２はファインダー画面を確認するための接眼部、１３は電源スイッチである。１４は情報入力ダイヤルであり、シャッター速度、絞り値、露出補正値などを設定することができる。１５は方向選択装置であり、ファインダー画面上に表示された測距点を選択したり、モニター１７に表示されたサムネイル画像を選択したり、情報表示を設定したりすることができる。この方向選択装置１５は、中央に一個、周囲に等間隔で８個の押圧部が配設されている。この方向選択装置の構成については後に詳述する。
【００２０】
１６は情報ダイヤル１４と方向選択装置１５の信号の全体を有効にするか、無効にするかを切り替えるための切替スイッチである。１７はモニターであり、撮影直後の画像や撮影済みでカメラ内のメモリーに記録された画像を表示する。１８は画像情報表示部であり、モニター１７に表示された画像に関する撮影関連情報を表示する。１９ａは測光や焦点検出に関するモードを設定・変更する操作ボタン群Ｂ１であり、例えば測光モードを変更したり、測距点を変更したりする。１９ｂは画像に関する操作ボタン群Ｂ２であり、撮影された画像の再生／消去、画像メニューの表示、拡大／縮小、画面移動などの操作を行う。
【００２１】
図２は方向選択装置１５の内部構造の拡大斜視図である。２１は中央に１個、周囲に等間隔に８個の計９個の独立可動押圧部を備え、それぞれの押圧部が独立して可動する方向選択部材である。方向選択部材２１は弾性材料で一体成型され、押圧後自己復帰する操作部材である。ＮＮ、ＮＥ、ＥＥ、ＳＥ、ＳＳ、ＳＷ、ＷＷ、ＮＷ、はそれぞれ順番（時計回り）に、上（北）、右上（北東）、右（東）、右下（南東）、下（南）、左下（南西）、左（西）、左上（北西）、の方向に配置されており、それぞれの方向を選択するための操作部である。ＣＣは中央に配置された操作部であり、選択された方向を決定するための決定ボタンである。
【００２２】
２２はフレキシブルプリント回路基板であり、方向選択部材２１の９個の独立可動押圧部のそれぞれの裏面に配設された導通部材である可動接点に対向した位置に信号検出パターンが形成されている。この信号検出パターンについては後に詳述する。２２ａはこれら信号線の引出部である。２３は方向選択部材２１とフレキシブルプリント回路基板２２を位置決め固定する台座である。台座２３は２箇所の固定部２３ａ、２３ｂを介し、カメラ本体１の内部のシャーシ（不図示）に固定されている。
【００２３】
２００は、制御手段である制御回路であり、後述する導通によって発生する信号を検出し、該信号に応じた動作制御を行う。
【００２４】
図３は、本実施例におけるスイッチ接点の構造を表す模式図である。同図では、特にスイッチ接点が２つある場合を表している。
【００２５】
３０１および３１１は導通部材である可動接点であり、上述の可動押圧部のそれぞれに対応するものである。これらはユーザの押圧操作に応じて矢印３００の方向に、それぞれ独立に中心線３０２、３１２に沿って上下動する。以下、可動接点３０１が属するスイッチ接点を左接点、可動接点３１１が属するスイッチ接点を右接点とする。
【００２６】
３０３は左接点に属するコモン接点部であり、３１３は右接点に属するコモン接点部である。コモン接点部は互いに接続され、同電位（ＧＮＤ）としてコモン接点３２１を形成する。さらにコモン接点３２１は、３２１ａにより制御回路２００に接続される。
【００２７】
３０４は左接点に属する検出接点部であり、３１４は右接点に属する検出接点部である。これらの検出接点部３０４、３１４は、コモン接点３２１とは非接触に配置されている。また、これらの検出接点部３０４、３１４は互いに接続され、ひとつの信号線として検出接点３２４を形成する。つまり、隣り合うスイッチ接点の検出接点が共有されたものであるといえる。言い換えると、検出接点３２４は、左接点と右接点の両方に属すると言える。さらに検出接点３２４は、３２４ａにより制御回路２００に接続される。
【００２８】
３０５は左接点に属する検出接点部であり、コモン接点３２１および検出接点３２４とは非接触に配置されている。また、検出接点部３０５は、不図示の他の検出接点部と互いに接続されるか、もしくは単独で検出接点３２５を形成する。さらに検出接点３２５は、３２５ａにより制御回路２００に接続される。
【００２９】
３１６は右接点に属する検出接点部であり、コモン接点３２１および検出接点３２４とは非接触に配置されている。また、検出接点部３１６は、不図示の他の検出接点部と互いに接続されるか、もしくは単独で検出接点３２６を形成する。さらに検出接点３２６は、３２６ａにより制御回路２００に接続される。
【００３０】
３０７は、左接点に属する固定接点を示すものであり、具体的にはコモン接点部３０３（コモン接点３２１）、検出接点部３０４（検出接点３２４）および検出接点部３０５（検出接点３２５）によって構成されていることを示す。従って固定接点３０７は、２つの検出接点と１つのコモン接点から構成されているといえる。
【００３１】
３１７は、右接点に属する固定接点を示すものであり、具体的にはコモン接点部３１３（コモン接点３２１）、検出接点部３１４（検出接点３２４）および検出接点部３１６（検出接点３２６）によって構成されていることを示す。従って固定接点３１７は、固定接点３０７と同様に、２つの検出接点と１つのコモン接点から構成されているといえる。
【００３２】
以上のように構成されたスイッチ接点は、ユーザの操作により可動接点３０１が押し下げられたときには、固定接点３０７に属するコモン接点３２１、検出接点３２４および検出接点３２５が導通され、押し下げがなされないときには、これらの接点は非導通となる。また、同様に、ユーザの操作により可動接点３１１が押し下げられたときには、固定接点３１７に属するコモン接点３２１、検出接点３２４および検出接点３２６が導通され、押し下げがなされないときには、これらの接点は非導通となる。
【００３３】
図４は、本実施例のカメラに適用されるフレキシブルプリント回路基板２２上に形成された信号検出パターンを説明する図である。
【００３４】
ｎｎ、ｎｅ、ｅｅ、ｓｅ、ｓｓ、ｓｗ、ｗｗ、ｎｗ、ｃｃは、方向選択部材２１の可動接点に対応した９個の固定接点を示しており、それぞれ順番（時計回り）に、上（北）、右上（北東）、右（東）、右下(南東)、下（南）、左下（南西）、左（西）、左上（北西）、中央、になっている。３１〜３６は、それぞれ独立した検出接点（信号ライン）である。図３では固定接点に属する検出接点部が明確にわかるように図示したが、図４に示すように、必ずしも明確にわからないようなパターンで接続されていても、機能的には何ら問題はない。また、同一符号の検出接点が複数存在するように図示されているが、実際には同一符号の検出接点は、例えばフレキシブルプリント回路基板２２の裏面を介するなどして互いに接続されている。具体的には、検出接点３１は、固定接点ｎｎ、ｎｗ、ｓｅおよびｓｓの４つに属する共通の検出接点であり、検出接点３３は、固定接点ｅｅ、ｓｅ、ｓｗおよびｗｗの４つに属する共通の検出接点である。
【００３５】
３７はコモン接点（ＧＮＤライン）である。コモン接点は、上述の９個の固定接点にそれぞれ属するコモン接点部が互いに接続されて形成されている。
更に、検出接点３１〜３６とコモン接点３７は制御回路２００へと接続されている。
【００３６】
また、これらの固定接点に対して、配設される検出接点は、ｎｎから順番（時計回り）に、ｎｎ（３１、３６）、ｎｅ（３６、３５）、ｅｅ（３５、３３）、ｓｅ（３３、３１）、ｓｓ（３１、３４）、ｓｗ（３４、３３）、ｗｗ（３３、３２）、ｎｗ（３２、３１）、及びｃｃ（３４、３６）と、１箇所の固定接点につき２つずつの組み合わせとして配設されている。
【００３７】
さらに、それぞれの固定接点に配設された検出接点の組み合わせは、隣接する固定接点に配置された検出接点の組み合わせに対し、必ず１つの検出接点を共有するよう配置されている。例えば、固定接点位置ｎｎはｎｅに対してスイッチ検出信号３１が異なっている。同様にｎｅはｅｅに対しスイッチ検出信号３６が異なっており、他の固定接点位置についても同様の関係になっている。このように配置することにより、配線パターンの配置構成が複雑にならず、効率的に配線できる。
【００３８】
図５は方向選択装置１５の断面図である。２１はスイッチ操作部材である。２２はプリント回路基板、２３は台座である。プリント回路基板２２は台座２３上に固定され、更にその上にスイッチ操作部材２１が配置されている。
【００３９】
２１ａ、２１ｂ、２１ｃはそれぞれ可動接点であり、押圧操作に対して互いに独立して動き、導通位置（接触位置）と退避位置（非接触位置）を進退しるとともに、これら可動接点のうち隣り合う２つの可動接点は、少なくとも１つの同一の検出接点に接触するように配設されている。
【００４０】
２２ａ、２２ｂ、２２ｃは、プリント回路基板上に設けられた固定接点であり、一つのコモン接点と二つの検出接点が配置されている。固定接点は、それぞれ可動接点２１ａ、２１ｂ、２１ｃと接触し電気的に導通する。これら固定接点は、図４に示す導通パターンで形成されている。
【００４１】
図６は、方向選択部材２１を可動接点側（裏側）から見た図である。可動接点は中央部にｃｃと、その外周に上から時計回りに、ｎｎ、ｎｗ、ｗｗ、ｓｗ、ｓｓ、ｓｅ、ｅｅ、ｎｅ、が配設されている。それぞれの可動接点の表面はカーボンなどの電気伝導性のある物質が塗布されている。
【００４２】
次に、制御回路２００による信号検出処理について説明する。ユーザが操作部材ＮＮを押し下げ、対応する可動接点が固定接点ｎｎに接触した場合、検出接点３１、３６およびコモン接点３７が導通されるので、これらの接点は同電位（ＧＮＤ）になり、制御回路２００はこれを検出して操作部材ＮＮが操作されたと判断する。
【００４３】
同様に、ＮＥが押し下げられた場合は、検出接点３６、３５およびコモン接点３７が、ＥＥが押し下げられた場合は、検出接点３５、３３およびコモン接点３７が、ＳＥが押し下げられた場合は、検出接点３３、３１およびコモン接点３７が、ＳＳが押し下げられた場合は、検出接点３１、３４およびコモン接点３７が、ＳＷが押し下げられた場合は、検出接点３４、３３およびコモン接点３７が、ＷＷが押し下げられた場合は、検出接点３３、３２およびコモン接点３７が、ＮＷが押し下げられた場合は、検出接点３２、３１およびコモン接点３７が、ＣＣが押し下げられた場合は、検出接点３６、３４およびコモン接点３７がそれぞれ導通されるので、制御回路２００はそれぞれ導通（同電位）を検出してそれぞれの操作部材が操作されたことを判断する。
【００４４】
また、本実施例においては２つの検出接点が同時にＧＮＤになった場合に、操作部材が操作されたと判断しているが、逆に、操作部材の不適切な押し下げのように１つの検出接点のみがＧＮＤになった場合には、エラーと判断して、何らの操作部材も押されていないものと処理することも可能である。さらに、２つの操作部材を同時に押し下げるような、４つ若しくはそれ以上の検出接点が同時にＧＮＤになった場合にも、エラーと判断してエラー処理を行うことも可能である。このような処理を行うことにより、電子機器としては誤作動を防ぐことができる。
【００４５】
次に本実施例のスイッチ検出信号の設定の理論について説明する。検出接点の総数をｎ個、１つの固定接点に属する検出接点の数をｒ個（ただし、いずれの固定接点においても属する検出接点の数はｒ個であって、互いに異ならせない）とすると、スイッチ接点の最大設定可能数Ｔは、ｎ個の中からｒ個取り出す組み合わせの数になるため、以下の数式１で表される。
【００４６】
【数１】
2006202537.tif 000003
【００４７】
なお、制御回路２００は、一つの固定接点に属するｒ個すべての検出接点がコモン接点と導通されて同時にＧＮＤになったときに、その対応するスイッチ接点がユーザにより操作されたと判断するものである。
【００４８】
図４を用いて具体的に説明すると、本実施例の検出接点は検出接点３１から検出接点３６までなので、検出接点の総数はｎ＝６である。また、一つの固定接点に属する検出接点は、２つであるので、ｒ＝２である。従って、スイッチ接点の最大設定可能数Ｔは、数式１より
【００４９】
【数２】
2006202537.tif 000004
と求めることができる。このように本実施例では、検出接点の総数６に対して、スイッチ接点の最大設定可能数は１５となる。
【００５０】
したがって、上記従来の方法ではスイッチ接点の設定数分だけ検出接点が必要となるため、本実施例のように１５個のスイッチ接点を用いる場合には、検出接点が１５個必要であったが、本実施例では検出接点が６個となる。このため、より少ない検出接点の数で信号検出が可能となっている。
【００５１】
また、本実施例では方向選択のためのスイッチ接点として、９個の設定にしているが、理論的には更に６個のスイッチが設定できることになるため、図１に示すスイッチ群１９ｂ等、その他のスイッチに割り当てることも可能である。もちろん、６個の余裕分は利用することなく余らせておいても良く、この場合であっても、従来の方法であれば９個の検出接点が必要であったところを６個で済むものであるので、設計上好ましいと言える。
【００５２】
なお、本実施例では、一つの固定接点に属する検出接点はｒ＝２としているが、接点構造上対応可能ならば、ｒ＝３としてもよく、ｒの設定範囲が、２≦ｒ≦ｎ−１の自然数であればよい。
【００５３】
次に図７を用いて、配設するスイッチ接点の個数に対して、最小数の検出接点を設ける場合の例について説明する。図７はフレキシブルプリント回路基板上に形成された信号検出パターンを示す図である。
【００５４】
まず、必要な操作部材として上、右上、右下、下、左下、左上の６方向スイッチを想定する。つまり、スイッチ接点Ｔ＝６とする。そして、各々のスイッチ接点に対応して、固定接点ｕｕ、ｕｒ、ｄｒ、ｄｄ、ｄｌ、ｕｌを設け、１つの固定接点に属する検出接点の数をｒ＝２とする。
【００５５】
そして、Ｔ＝６、ｒ＝２と数式１からｎ＝４が導かれるので、必要な最小検出接点の数ｎは４であることがわかる。この結果をもとに、４つの検出接点およびコモン接点を配線すると、一例として図７のような配線が得られることになる。
【００５６】
検出接点は７１から７４の４個であり、検出接点７１は、ｕｒ、ｄｒ、ｄｄの３個の固定接点に属し、検出接点７２は、ｕｌ、ｕｕ、ｕｒの３個の固定接点に属し、検出接点７３は、ｕｕ、ｄｒ、ｄｌの３個の固定接点に属し、検出接点７４は、ｄｄ、ｄｌ、ｕｌの３個の固定接点に属する。なお、配線にはフレキシブルプリント回路基板の裏面も利用しており、破線で表される８０の部分は裏面に配線されている。８１は表面の配線と裏面の配線を接続するスルーホールであり、コモン接点（ＧＮＤ）７５は、すべての固定接点に属するように配線されている。
【００５７】
このような配線により、不図示の制御回路は、検出接点７３，７２およびコモン接点が導通したときには上（ｕｕ）方向が操作されたと判断し、検出接点７２，７１およびコモン接点が導通したときには右上（ｕｒ）方向が操作されたと判断し、検出接点７３，７１およびコモン接点が導通したときには右下（ｄｒ）方向が操作されたと判断し、検出接点７１，７４およびコモン接点が導通したときには下（ｄｄ）方向が操作されたと判断し、検出接点７３，７４およびコモン接点が導通したときには左下（ｄｌ）方向が操作されたと判断し、検出接点７４，７２およびコモン接点が導通したときには左上（ｕｌ）方向が操作されたと判断する。
【００５８】
この例によれば、Ｔ、ｒに対してｎが自然数で求めることができたので、無駄な検出接点を設けることなく配線できたが、本実施例のように８方向および中央の９個のスイッチ接点（Ｔ＝９）、１つの固定接点に属する検出接点の数を２個（ｒ＝２）としたときには、数式１によりｎは自然数で求めることができない。この場合は、
【００５９】
【数３】
2006202537.tif 000005
を満たす最小のｎを設定すると、もっとも無駄なく配線することが可能である。本実施例のようにＴ＝９、ｒ＝２と決めれば、ｎ＝５と求められることになる。５Ｃ２＝１０であるから、最大の設定可能なスイッチ接点数に対して、１つ分は余らせることになる。
【００６０】
次に、本実施例における方向選択装置１５を用いたカメラ機能例を説明する。
【００６１】
図８は、カメラのモニター１７に表示されたインデックス画像と、画像情報表示部１８に表示された画像情報を表した図である。同図において、画面座標位置１Ａ〜３Ｃは、インデックス画像表示位置を表している。画面座標位置１Ａ〜３Ｃには９コマの画像がサムネイル画像にてインデックス表示されている。９コマの中で枠が太く表示されているサムネイル画像１Ｃは、選択対象になっているコマである。画像情報表示部１８には選択されているサムネイル画像１Ｃに関する画像データの情報が表示されている。
【００６２】
太枠で表示されたサムネイル画像１Ｃの画像から、例えばサムネイル画像２Ｂの画像を選択しようとする場合には、ユーザがＳＷ（南西）を押し下げると、カメラの制御回路部２００がユーザの操作を検出して、太枠を２Ｂに移動させて、対象画像が２Ｂに移ったことを示すと同時に、画像情報表示部１８にはサムネイル画像２Ｂに関する画像データの情報を表示する。
【００６３】
このように、画像再生時において、モニター１７に表示されるサムネイル画像の選択に方向選択装置１５を用いることもできるし、撮影時において、図１３を用いて説明したような測距点の視標を選択する場合にも、直接的に選択を行うために用いることも可能である。
【００６４】
本実施例においては、方向選択装置をカメラに適用した場合について説明したが、他の電子機器に適用するものであっても、同様の効果を奏するものである。また、スイッチ接点を環状に配置した方向選択装置を用いて説明したが、特にこれに限定されるものではなく、例えばマトリックス状に配置された複数のスイッチ接点に対しても適用されうるものである。
【図面の簡単な説明】
【００６５】
【図１】本発明の実施例１におけるカメラを背面図。
【図２】本発明の実施例１における方向選択装置の斜視図。
【図３】本発明の実施例１におけるスイッチ接点の構造を表す模式図。
【図４】本発明の実施例１におけるフレキシブルプリント回路基板を示す図。
【図５】本発明の実施例１における方向選択装置の断面図。
【図６】本発明の実施例１における方向選択部材を可動接点側から見た図。
【図７】本発明の実施例１における最小数の検出接点を設ける場合の例についての説明図。
【図８】本発明の実施例１におけるカメラのモニター表示内容と、画像情報表示部の表示内容を示す図。
【図９】従来のスイッチの検出パターンを示す図。
【図１０】従来の選択スイッチ装置の検出パターンを示す図。
【図１１】従来の選択スイッチ装置の断面図。
【図１２】従来の選択スイッチ装置に検出パターンを示す図。
【図１３】従来のファインダー画面を示す図。
【符号の説明】
【００６６】
３１、３２、３３、３４、３５、３６  検出接点
３７、    コモン接点
２００    制御回路
【図１】
2006202537.tif 000006
【図２】
2006202537.tif 000007
【図３】
2006202537.tif 000008
【図４】
2006202537.tif 000009
【図５】
2006202537.tif 000010
【図６】
2006202537.tif 000011
【図７】
2006202537.tif 000012
【図８】
2006202537.tif 000013
【図９】
2006202537.tif 000014
【図１０】
2006202537.tif 000015
【図１１】
2006202537.tif 000016
【図１２】
2006202537.tif 000017
【図１３】
2006202537.tif 000018